(57)【要約】【課題】積層コンデンサの等価直列インダクタンスを低減する。【解決手段】互いに対向する第１および第２の内部電極１０および１１を、それぞれ、第１および第２の外部端子電極に接続するために第１および第２の内部電極１０および１１に形成された第１および第２の引出電極１２〜１５および１６〜１９において、隣り合う第１の引出電極１６〜１９の各々と第２の引出電極１６〜１９の各々との互いに向かい合う端縁２８および２９の延びる方向を、第１および第２の内部電極１０および１１側に近づくに従って互いに近づくようにする。【選択図】　　　　図３
2004140211.tif 000002
【特許請求の範囲】
【請求項１】
相対向する２つの主面およびこれら主面間を連結する側面を有するコンデンサ本体を備え、
前記コンデンサ本体は、前記主面の方向に延びる複数の誘電体層と、コンデンサユニットを形成するように特定の前記誘電体層を介して互いに対向する少なくとも１対の第１および第２の内部電極とを備え、
前記第１および第２の内部電極は、それぞれ、前記側面にまで引き出される第１および第２の引出電極を形成しており、
前記側面上には、前記第１および第２の引出電極にそれぞれ電気的に接続される第１および第２の外部端子電極がそれぞれ設けられている、
積層コンデンサであって、
前記第１および第２の引出電極が隣り合って位置する箇所において、隣り合う前記第１および第２の引出電極の各々の互いに向かい合う端縁は、前記第１および第２の内部電極側に近づくに従って互いに近づくように延びていることを特徴とする、積層コンデンサ。
【請求項２】
隣り合う前記第１および第２の引出電極の各々の互いに向かい合う端縁は、互いに近づくように直線状に延びている、請求項１に記載の積層コンデンサ。
【請求項３】
隣り合う前記第１および第２の引出電極の各々の互いに向かい合う端縁は、互いに近づくように曲線状に延びている、請求項１に記載の積層コンデンサ。
【請求項４】
各々複数の前記第１および第２の引出電極ならびに前記第１および第２の外部端子電極を備え、すべての前記第１の外部端子電極とすべての前記第２の外部端子電極とは、交互に配置されている、請求項１ないし３のいずれかに記載の積層コンデンサ。
【請求項５】
前記第１および第２の外部端子電極の少なくとも一方によって並列接続された複数の前記コンデンサユニットを形成するように、前記第１の内部電極と前記第２の内部電極との対向する部分の数は複数とされる、請求項１ないし４のいずれかに記載の積層コンデンサ。
【発明の詳細な説明】
【０００１】
【発明の属する技術分野】
この発明は、積層コンデンサに関するもので、特に、高周波回路において有利に適用され得る積層コンデンサに関するものである。
【０００２】
【従来の技術】
この発明にとって興味ある積層コンデンサが、たとえば特開平１１−１４４９９６号公報（特許文献１）に記載されている。この特許文献１に記載された積層コンデンサは、高周波回路において有利に用いることができるように、等価直列インダクタンス（ＥＳＬ）の低減が図られている。
【０００３】
より具体的には、積層コンデンサにおいて静電容量の形成のために設けられる内部電極の各々が、複数の引出電極を介して、コンデンサ本体の側面上にまで引き出される。そして、これら引出電極の各々に電気的に接続されるように、複数の外部端子電極がコンデンサ本体の側面上に設けられる。また、外部端子電極は、異なる内部電極に接続されるものが交互に隣り合うように配置される。
【０００４】
このような構造の積層コンデンサによれば、内部電極を流れる電流を種々の方向に向けることができ、それによって、電流に関連して発生する磁束が相殺され、ＥＳＬの低減を図ることができる。
【０００５】
【特許文献１】
特開平１１−１４４９９６号公報
【０００６】
【発明が解決しようとする課題】
上述の特許文献１に記載された積層コンデンサにおいて、引出電極の数およびそれに応じて設けられる外部端子電極の数を増やすことなく、低ＥＳＬ化をより図るためには、引出電極の幅をより大きくすることが有効である。
【０００７】
しかしながら、引出電極の幅をより大きくすることは、引出電極間のギャップ寸法を小さくすることを意味しており、そのため、外部端子電極間のギャップ寸法も小さくしなければならないことになる。その結果、ショート不良などの不具合が生じる可能性が高くなる。
【０００８】
そこで、この発明の目的は、上述の問題に遭遇することなく、より低ＥＳＬ化を図ることが可能な積層コンデンサを提供しようとすることである。
【０００９】
【課題を解決するための手段】
この発明に係る積層コンデンサは、相対向する２つの主面およびこれら主面間を連結する側面を有するコンデンサ本体を備える。コンデンサ本体は、主面の方向に延びる複数の誘電体層とコンデンサユニットを形成するように特定の誘電体層を介して互いに対向する少なくとも１対の第１および第２の内部電極とを備え、第１および第２の内部電極は、それぞれ、コンデンサ本体の側面にまで引き出される第１および第２の引出電極を形成しており、また、コンデンサ本体の側面上には、第１および第２の引出電極にそれぞれ電気的に接続される第１および第２の外部端子電極がそれぞれ設けられている。このような基本的構成を有する積層コンデンサにおいて、上述した技術的課題を解決するため、この発明は、次のような構成を備えることを特徴としている。
【００１０】
すなわち、上述した第１および第２の引出電極が隣り合って位置する箇所において、隣り合う第１および第２の引出電極の各々の互いに向かい合う端縁は、第１および第２の内部電極側に近づくに従って互いに近づくように延びていることを特徴としている。
【００１１】
この発明において、上述の隣り合う第１および第２の引出電極の各々の互いに向かい合う端縁は、互いに近づくように直線状に延びていても、互いに近づくように曲線状に延びていてもよい。
【００１２】
この発明に係る積層コンデンサは、各々複数の第１および第２の引出電極ならびに第１および第２の外部端子電極を備え、すべての第１の外部端子電極とすべての第２の外部端子電極とが、交互に配置されていることが好ましい。
【００１３】
また、この発明に係る積層コンデンサにおいて、第１および第２の外部端子電極の少なくとも一方によって並列接続された複数のコンデンサユニットを形成するように、第１の内部電極と第２の内部電極との対向する部分の数は複数とされることが好ましい。
【００１４】
【発明の実施の形態】
図１ないし図４は、この発明の一実施形態による積層コンデンサ１を説明するためのものである。ここで、図１は、積層コンデンサ１の外観を示す斜視図である。
【００１５】
積層コンデンサ１は、図１に示すように、コンデンサ本体２を備えている。コンデンサ本体２は、この実施形態では、直方体状をなし、相対向する２つの主面３および４ならびにこれら主面３および４間を連結する４つの側面５、６、７および８を有している。
【００１６】
図２は、コンデンサ本体２の内部構造を、主面３および４に平行な断面をもって示す平面図であり、（ａ）と（ｂ）とは互いに異なる位置にある断面での平面図を示している。
【００１７】
コンデンサ本体２は、主面３および４の方向に延びる、たとえば誘電体セラミックからなる複数の誘電体層９、ならびにコンデンサユニットを形成するように特定の誘電体層９を介して互いに対向する少なくとも１対の第１および第２の内部電極１０および１１を備えている。
【００１８】
第１の内部電極１０は、図２（ａ）に示すように、側面５にまで引き出される第１の引出電極１２および１３ならびに側面７にまで引き出される第１の引出電極１４および１５を形成している。
【００１９】
第２の内部電極１１は、図２（ｂ）に示すように、側面５にまで引き出される第２の引出電極１６および１７ならびに側面７にまで引き出される第２の引出電極１８および１９を形成している。
【００２０】
第１の引出電極１２〜１５が引き出された側面５および７上には、図１に示すように、第１の引出電極１２〜１５にそれぞれ電気的に接続される第１の外部端子電極２０、２１、２２および２３がそれぞれ設けられる。また、これら側面５および７上には、第２の引出電極１６〜１９にそれぞれ電気的に接続される第２の外部端子電極２４、２５、２６および２７がそれぞれ設けられる。
【００２１】
なお、この実施形態では、外部端子電極２０〜２７は、側面５または７から主面３および４の各一部にまで延びるように形成されている。
【００２２】
このようにして、側面５および７の各々上において、各々複数の第１および第２の外部端子電極２０〜２３および２４〜２７が形成される。そして、側面５上においては、第１の外部端子電極２０および２１と第２の外部端子電極２４および２５とが交互に配置され、他方、側面７上においては、第１の外部端子電極２２および２３と第２の外部端子電極２６および２７とが交互に配置される。
【００２３】
また、このような積層コンデンサ１において、より大きな静電容量を得るため、第１の内部電極１０と第２の内部電極１１との対向する部分の数は複数とされ、複数のコンデンサユニットを形成するようにされる。すなわち、第１および第２の内部電極１０および１１のいずれか一方がコンデンサ本体２内において１つ形成されるとき、第１および第２の内部電極１０および１１のいずれか他方がこれを挟むように２つ形成されたり、さらに大きい静電容量を得ようとするときには、第１および第２の内部電極１０および１１の組の数が複数とされる。
【００２４】
このように、第１の内部電極１０と第２の内部電極１１との対向する部分の数が複数とされたときには、複数のコンデンサユニットは、第１の外部端子電極２０〜２３および第２の外部端子電極２４〜２７の少なくとも一方によって並列接続される。
【００２５】
以上のような基本的構成を備える積層コンデンサ１において、次のような特徴的構成が採用されている。図３は、図２（ａ）に示した第１の内部電極１０と図２（ｂ）に示した第２の内部電極１１とが重なった状態を示す、図２（ａ）に相当する平面図である。図３において、第２の内部電極１１から引き出される第２の引出電極１６〜１９が破線で示されている。図４は、図３の一部、すなわち第１の引出電極１３および第２の引出電極１６が形成された部分を拡大して示す図である。
【００２６】
図３および図４によく示されているように、第１の引出電極１２〜１５と第２の引出電極１６〜１９とが隣り合って位置する箇所において、第１の引出電極１２〜１５の各々の端縁２８と第１の引出電極１２〜１５に対して隣り合う第２の引出電極１６〜１９の各々の端縁２９とは、互いに向かい合うことになるが、これら互いに向かい合う端縁２８および２９は、第１および第２の内部電極１０および１１側に近づくに従って互いに近づくように延びている。この実施形態では、これら互いに向かい合う端縁２８および２９は、互いに近づくように直線状に延びている。
【００２７】
上述したような構成を採用することにより、引出電極が一定の幅で延びるように形成される場合に比べて、次のような効果が奏される。たとえば、第１の引出電極１２〜１５の各々から、第１の内部電極１０および第２の内部電極１１を通って、第２の引出電極１６〜１９の各々へと電流が流れるとき、この電流の経路をより短くすることができる。また、引出電極１２〜１９の各々の付け根部分での電流の集中を生じにくくすることができ、したがって、電流の流れをより円滑なものとすることができる。これらのことから、積層コンデンサ１の低ＥＳＬ化を効果的に図ることができる。
【００２８】
なお、引出電極１２〜１９の各々の、外部端子電極２０〜２７の各々との接続部分での幅は、特に広げる必要がない。このため、ショート不良などが生じやすくなるような設計変更を行なう必要がなく、また、外部端子電極２０〜２７の配列ピッチについても、従来の設計条件を維持することができる。
【００２９】
図５は、この発明の他の実施形態を説明するための図４に相当する図である。図５において、図４に示した要素に相当する要素には同様の参照符号を付し、重複する説明は省略する。
【００３０】
図５に示した実施形態では、隣り合う第１の引出電極１２〜１５（図５では、第１の引出電極１３のみが図示されている。）および第２の引出電極１６〜１９（図５では、第２の引出電極１６のみが図示されている。）の各々の互いに隣り合う端縁２８ａおよび２９ａは、第１および第２の内部電極１０および１１側に近づくに従って互いに近づくように曲線状に、より特定的には円弧状に延びていることを特徴としている。
【００３１】
図５に示した実施形態によっても、図１ないし図３を参照して説明した実施形態の場合と実質的に同様の効果が得られる。
【００３２】
次に、この発明による効果を確認するために実施した実験例について説明する。
【００３３】
この実験例では、図１ないし図４を参照して説明した実施形態に基づいて、試料となる複数種類の積層コンデンサを作製した。各試料に係る積層コンデンサは、次のような設計とした。
【００３４】
まず、コンデンサ本体は、各々誘電体層を介して、３層の第１の内部電極と２層の第２の内部電極とを交互に積層するとともに、その上下に各々１０層ずつ誘電体層を積層した構造とした。ここで、各誘電体層の厚みは１０μｍとし、第１および第２の内部電極の各厚みは１μｍとした。
【００３５】
また、誘電体層は、比誘電率２０００のＢａＴｉＯ３　系誘電体セラミックから構成し、内部電極は、導電成分としてニッケルを含む組成とした。
【００３６】
また、コンデンサ本体の寸法、第１および第２の内部電極の寸法ならびに第１および第２の引出電極の寸法については、図３を参照して説明すると、Ｌ＝２０００μｍ、Ｗ＝１２００μｍ、ａ＝１５０μｍ、ｂ＝３５０μｍ、ｃ＝２００μｍ、ｄ＝５０μｍ、およびｅ＝１２５μｍとした。
【００３７】
このような基本的設計を有する積層コンデンサにおいて、第１および第２の引出電極の各々の端縁の形成態様を種々に変えた試料を作製した。すなわち、図６に第１および第２の引出電極の代表的なものを「３１」で示すが、第１および第２の引出電極のすべてについて、図示した引出電極３１の端縁３２における傾斜部分の寸法ｘおよびｚを、以下の表１に示すように種々に変更した試料を作製した。そして、各試料に係る積層コンデンサについて、ＥＳＬを測定した。その結果が表１に示されている。
【００３８】
【表１】
2004140211.tif 000003
【００３９】
表１に示すように、引出電極３１の端縁に傾斜部分を設けることにより、このような傾斜部分のない試料（ｘ，ｚ＝０μｍ）に比べて、低ＥＳＬ化が図られていることがわかる。特に、寸法ｘの方が、寸法ｚに比べて、低ＥＳＬ化により影響を及ぼし、寸法ｘがより大きくなるほど、ＥＳＬがより低くなっていることがわかる。
【００４０】
以上、この発明を特定的な実施形態について説明したが、この発明の範囲内において、その他、種々の変形例が可能である。
【００４１】
この発明の最も基本的な構成は、図２を参照して説明すると、第１の内部電極１０が引出電極１２のみを形成し、第２の内部電極１１が引出電極１７のみを形成している構成である。したがって、この発明の範囲内において、上述の基本的構成を備える限り、内部電極の引出電極の位置や数を種々に変更したり、それに応じて、外部端子電極の位置や数を種々に変更したりすることができる。
【００４２】
より具体的には、図２を参照して説明すると、引出電極１２のみを備える第１の内部電極１０と引出電極１７のみを備える第２の内部電極１１と引出電極１５のみを備える第１の内部電極１０と引出電極１８のみを備える第２の内部電極１１とを混在させてもよい。また、引出電極１２および１３のみを有する第１の内部電極１０と引出電極１６および１７のみを有する第２の内部電極１１と引出電極１４および１５のみを有する第１の内部電極１０と引出電極１８および１９のみを有する第２の内部電極１１とを混在させてもよい。
【００４３】
また、図２を参照して説明すると、引出電極は、コンデンサ本体２の側面６および／または８にまで引き出されるように形成されてもよい。
【００４４】
また、第１および第２の内部電極ならびにコンデンサ本体は、正方形の平面形状を有していてもよく、あるいは、第１および第２の内部電極が円形の平面形状を有していても、さらには、コンデンサ本体が円形の平面形状を有していてもよい。
【００４５】
【発明の効果】
以上のように、この発明によれば、第１および第２の引出電極が隣り合って位置する箇所において、隣り合う第１および第２の引出電極の各々の互いに向かい合う端縁が、第１および第２の内部電極側に近づくに従って互いに近づくように延びているので、たとえば、第１の引出電極から、第１および第２の内部電極を通って、第２の引出電極へと流れる電流の経路を短くすることができ、また、引出電極の付け根部分での電流の集中を生じにくくでき、それによって、電流の流れを円滑にすることができるので、積層コンデンサの低ＥＳＬ化を有利に図ることができる。
【００４６】
また、引出電極の外部端子電極との接続部分における幅は、これを特に狭くする必要がないので、外部端子電極間のギャップ寸法を所定以上に維持することができ、その結果、ショート不良などの不具合を生じにくくすることができる。
【００４７】
この発明において、各々複数の第１および第２の引出電極ならびに第１および第２の外部端子電極を備え、すべての第１の外部端子電極とすべての第２の外部端子電極とが交互に配置されると、磁束をより効果的に相殺することができるとともに、電流の経路をより短くすることができるので、ＥＳＬをより低くすることが可能になる。
【００４８】
また、この発明において、第１および第２の外部端子電極の少なくとも一方によって並列接続された複数のコンデンサユニットを形成するように、第１の内部電極と第２の内部電極との対向する部分の数が複数とされると、積層コンデンサの小型化かつ高容量化に有効である。
【図面の簡単な説明】
【図１】この発明の一実施形態による積層コンデンサ１の外観を示す斜視図である。
【図２】図１に示した積層コンデンサ１に備えるコンデンサ本体２の内部構造を示すもので、（ａ）は、第１の内部電極１０が通る断面をもって示す平面図であり、（ｂ）は、第２の内部電極１１が通る断面をもって示す平面図である。
【図３】図２（ａ）に示した第１の内部電極１０と図２（ｂ）に示した第２の内部電極１１とを重ねた状態で示す、図２（ａ）に相当する図である。
【図４】図３の一部を拡大して示す図である。
【図５】この発明の他の実施形態を説明するための図４に相当する図である。
【図６】この発明に従って実施した実験例において、引出電極３１の端縁３２の形成態様を説明するための図である。
【符号の説明】
１　積層コンデンサ
２　コンデンサ本体
３，４　主面
５〜８　側面
９　誘電体層
１０　第１の内部電極
１１　第２の内部電極
１２〜１５　第１の引出電極
１６〜１９　第２の引出電極
２０〜２３　第１の外部端子電極
２４〜２７　第２の外部端子電極
２８，２８ａ，２９，２９ａ　端縁
【図１】
2004140211.tif 000004
【図２】
2004140211.tif 000005
【図３】
2004140211.tif 000006
【図４】
2004140211.tif 000007
【図５】
2004140211.tif 000008
【図６】
2004140211.tif 000009